(57)【要約】【課題】ヘッドホンカバーの開口周縁部において生地が摩擦による劣化によって破れてしまうことを防止できるようにする。【解決手段】伸縮性のある生地１０の周縁部１１を全周にわたって裏側に折り返し、当該裏側に開口部１２を形成して成るヘッドホンカバーにおいて、開口部１２の周縁に当たる開口周縁部の生地に平ゴム２０を縫い付けることにより、従来のようにゴムを保持するためにゴムの周りを生地で覆う必要をなくし、ヘッドホンカバーの開口周縁部において生地２０が摩擦による劣化によって破れてしまうことを防止できるようにする。【選択図】図２
2018191347.tif 000002
【特許請求の範囲】
【請求項１】
伸縮性のある生地の周縁部を全周にわたって一の面側に折り返し、当該一の面側に、ヘッドホンの耳あてを挿入するための開口部を形成して成るヘッドホンカバーであって、
上記開口部の周縁に当たる開口周縁部の生地に対し、糸によって平ゴムを縫い付けて構成し、
上記糸の長さは、上記平ゴムの最も縮んでいる状態での全周の長さよりも長く、上記平ゴムの最も縮んでいる状態で上記糸が弛んでいることを特徴とするヘッドホンカバー。
【請求項２】
上記糸が上記平ゴムの長手方向に略平行に縫い付けられていることを特徴とする請求項１に記載のヘッドホンカバー。
【請求項３】
上記糸が上記平ゴムの長手方向から所定角度を付けてジグザグに縫い付けられていることを特徴とする請求項１に記載のヘッドホンカバー。
【請求項４】
上記平ゴムの最も縮んでいる状態での全周の長さより、伸ばされていない状態での上記生地の端部の全周の長さの方が長くなるようにサイズが設定されていることを特徴とする請求項１に記載のヘッドホンカバー。
【発明の詳細な説明】
【技術分野】
【０００１】
本発明は、ヘッドホンの耳あてに被せて使用するヘッドホンカバーに関するものである。
【背景技術】
【０００２】
従来、ヘッドホンの耳あてに被せて使用するヘッドホンカバー（イヤーパッドともいう）が提供されている（例えば、特許文献１参照）。この特許文献１に記載されているように、従来のヘッドホンカバーは、伸縮性のある生地の周縁部付近にゴムを当て、当該生地の周縁部を折り返してゴムを生地で覆う状態にして、当該生地の周縁部を筒状に縫い付けることによって構成されていた。
【０００３】
しかしながら、ヘッドホンカバーは普通、音を通しやすくするために薄い生地で形成されるため、日々の使用に伴う摩擦によって生地が劣化しやすい。特に、ゴムを生地で覆っているヘッドホンカバーの開口周縁部では、その生地が摩擦による劣化によって破れやすいという問題があった。
【０００４】
また、ヘッドホンの耳あてには様々な大きさがあり、それらの大きさに合わせて異なるタイプのヘッドホンカバーを用意するのが普通である。伸縮性のある生地やゴムを使用しているとはいえ、ゴムを覆っている周縁部の縫製に使用される糸には伸縮の限界があるため、その糸の伸びの限界を超える大きさのヘッドホンには使うことができない。そのため、種々の大きさのヘッドホンに合わせて数多くの大きさのヘッドホンカバーを用意しなければならないという問題があった。
【先行技術文献】
【特許文献】
【０００５】
【特許文献１】実開昭６０−１７６７１９号公報
【発明の概要】
【発明が解決しようとする課題】
【０００６】
本発明は、このような問題を解決するために成されたものであり、ヘッドホンカバーの開口周縁部において生地が摩擦による劣化によって破れてしまうことを防止できるようにすることを目的とする。
また、本発明は、１種類のヘッドホンカバーをできるだけ多くの大きさのヘッドホンに使用できるようにすることを目的とする。
【課題を解決するための手段】
【０００７】
上記した課題を解決するために、本発明では、伸縮性のある生地の周縁部を全周にわたって一の面側に折り返し、当該一の面側に開口部を形成して成るヘッドホンカバーにおいて、開口部の周縁に当たる開口周縁部の生地に対し、糸によって平ゴムを縫い付けている。
【０００８】
本発明の他の態様では、縫い付けに使用する糸の長さを、平ゴムの最も縮んでいる状態での全周の長さよりも長くなるようにしている。
【発明の効果】
【０００９】
上記のように構成した本発明によれば、ヘッドホンカバーの開口周縁部に平ゴムを縫い付けているので、従来のようにゴムを保持するためにゴムの周りを生地で覆う必要がない。これにより、ヘッドホンカバーの開口周縁部は薄手の生地に比べて摩擦に強い平ゴムにより形成され、開口周縁部において生地が摩擦による劣化によって破れてしまうことを防止することができる。
【００１０】
また、本発明の他の特徴によれば、平ゴムが最も縮んでいる（伸びていない）状態では糸が弛んだ状態となっていて、糸が弛んだ状態から弛みのない状態となるまでの伸び代がある分、糸自体の伸びの限界を超えて平ゴムを伸ばすことができる。これにより、１種類のヘッドホンカバーをできるだけ多くの大きさのヘッドホンに使用することができる。
【図面の簡単な説明】
【００１１】
【図１】本実施形態によるヘッドホンカバーの構成例を示す平面図である。
【図２】本実施形態によるヘッドホンカバーの構成例を示す底面図である。
【図３】本実施形態によるヘッドホンカバーの構成例を示す側面図である。
【発明を実施するための形態】
【００１２】
以下、本発明の一実施形態を図面に基づいて説明する。図１〜図３は、本実施形態によるヘッドホンカバーの構成例を示す図であり、図１は平面図、図２は底面図、図３は側面図を示している。本実施形態のヘッドホンカバーは伸縮性を有していて変形可能であるが、図１〜図３は外力が加えられていない定常状態におけるヘッドホンカバーの形状を示している。
【００１３】
図１〜図３に示すように、本実施形態のヘッドホンカバーは、円形で伸縮性のある生地１０の周縁部１１を全周にわたって平面側（表側）から底面側（裏側）に折り返し、当該底面側に開口部１２を形成した構成となっている。この開口部１２からヘッドホンの耳あてを挿入することにより、ヘッドホンの耳あてをヘッドホンカバーで覆うようになされている。
【００１４】
本実施形態のヘッドホンカバーは、開口部１２の周縁に当たる開口周縁部の生地、つまり、折り返した円形の生地１０の端部に対し、糸によって平ゴム２０を縫い付けた構成としている。ここで使用する糸は、伸縮性を有するものであることが好ましい。平ゴム２０を用いているのは、丸ゴムに比べて、生地１０に対して合わせ縫いを容易に行うことができるからである。
【００１５】
縫い付ける糸の長さは、平ゴム２０の最も縮んでいる状態での全周の長さ（図２に示す定常状態での平ゴム２０の円周の長さ）よりも長くする。そして、平ゴム２０の長手方向（円周方向）に略平行に糸を縫い付ける。具体的には、平ゴム２０を伸ばした状態にして、伸ばしていない状態の生地１０の端部と平ゴム２０とを合わせ縫いしていく。
【００１６】
また、伸ばしていない状態での平ゴム２０の円周の長さよりも、伸ばしていない状態での生地１０の端部の円周の長さの方が長くなるようにサイズが設定されている。これにより、平ゴム２０を伸ばした状態で生地１０に縫い付けた後、伸ばすのをやめて図２のような定常状態に戻すと、生地１０の周縁部１１が平ゴム２０の力で縮められて皺１３が生じた状態となる。つまり、生地１０の周縁部１１が弛んだ状態で平ゴム２０に縫い付けられた状態となる。
【００１７】
このように、本実施形態のヘッドホンカバーでは、ヘッドホンカバーの開口周縁部に平ゴム２０を縫い付けているので、従来のようにゴムを保持するためにゴムの周りを生地で覆う必要がない。これにより、ヘッドホンカバーの開口周縁部は薄手の生地１０に比べて摩擦に強い平ゴム２０により形成され、開口周縁部において生地１０が摩擦による劣化によって破れてしまうことを防止することができる。
【００１８】
また、本実施形態では、縫製に使用する糸の長さを定常状態における平ゴム２０の全周の長さよりも長くしているので、平ゴム２０が最も縮んでいる（伸びていない）状態では糸が弛んだ状態となっていて、糸が弛んだ状態から弛みのない状態となるまでの伸び代がある分、糸自体の伸びの限界を超えて平ゴム２０を伸ばすことができる。これにより、１種類のヘッドホンカバーをできるだけ多くの大きさのヘッドホンに使用することができる。
【００１９】
なお、上記実施形態では、生地１０の形状が円形である例について説明したが、本発明はこれに限定されない。例えば、生地１０の形状は楕円形、三角形や四角形、あるいは五角形以上の多角形であってもよい。
【００２０】
また、上記実施形態では、平ゴム２０を伸ばした状態にして、生地１０の端部と平ゴム２０とを合わせ縫いしていく例について説明したが、縫製の仕方はこれに限定されない。例えば、平ゴム２０は伸ばさずに縮んだ状態としたまま、生地１０の周縁端部をプリーツ状に弛ませて、糸を弛ませながら縫い付けるようにしてもよい。
【００２１】
また、上記実施形態では、平ゴム２０の長手方向に略平行に糸を縫い付ける例について説明したが、本発明はこれに限定されない。例えば、平ゴム２０の長手方向から所定角度を付けて糸をジグザグに縫い付けるようにしてもよい。このようにすれば、縫い付ける糸の長さと、平ゴム２０の最も縮んでいる状態での全周の長さとの差をより大きくすることができる。
【００２２】
また、上記実施形態では、伸ばしていない状態での平ゴム２０の円周の長さよりも、伸ばしていない状態での生地１０の端部の円周の長さの方が長くなるようにサイズを設定する例について説明したが、本発明はこれに限定されない。例えば、生地１０自体も伸縮性を有しているので、平ゴム２０と同等またはそれ以上に伸びることが可能な生地１０を用いた場合には、上記の長さが略同じとなるようにしてもよい。
【００２３】
一方、生地１０よりも平ゴム２０の方が伸縮性が大きい場合は、生地１０の伸びの限界を超えて平ゴム２０を伸ばすことができるようにするのが好ましい。すなわち、上記実施形態のように、平ゴム２０の円周の長さよりも生地１０の端部の円周の長さの方が長くなるようにし、生地１０の周縁部１１を弛ませた状態で平ゴム２０に縫い付けるのが好ましい。
【００２４】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００２５】
１０  生地
１１  周縁部
１２  開口部
１３  皺
２０  平ゴム
【図１】
2018191347.tif 000003
【図２】
2018191347.tif 000004
【図３】
2018191347.tif 000005